(57)【要約】【課題】十分な盗難抑止効果を有する紙幣処理機および紙幣収納箱の提供。【解決手段】筐体１２と、筐体１２内に対し出し入れされる紙幣収納箱１３とを有して紙幣の取り引きを行うものであって、異常発生時に紙幣収納箱１３内で異臭剤を撒く異臭剤付与手段２１を有することで、異常発生時にスタッカ１３内の紙幣に異臭剤を付着させる。その結果、その紙幣を使用しようとした場合に異臭がすることになり、盗難紙幣であることが容易に見分けられることになる。したがって、このような紙幣は盗んでも使用できないことから、盗難自体が意味のないものとなり抑止される。【選択図】        図１
2004353259.tif 000002
【特許請求の範囲】
【請求項１】
筐体と、該筐体に対し出し入れされる紙幣収納箱とを有して紙幣の取り引きを行う紙幣処理機において、
異常発生時に前記紙幣収納箱内で異臭剤を紙幣に付ける異臭剤付与手段を有することを特徴とする紙幣処理機。
【請求項２】
前記筐体の一部に開閉可能に設けられ開状態にあるとき前記紙幣収納箱を前記筐体に対し出し入れ可能とする筐体開閉手段と、該筐体開閉手段を閉状態で施錠する施錠手段とを有し、
前記異臭剤付与手段は、前記筐体開閉手段の開閉状態を検出する開閉状態検出手段と、前記施錠手段の施錠状態を検出する施錠状態検出手段とを有するとともに、これら開閉状態検出手段および施錠状態検出手段の検出結果から、前記筐体開閉手段の開放時に前記施錠手段が施錠解除状態になければ異常発生と判定して前記紙幣収納箱内で異臭剤を紙幣に付けることを特徴とする請求項１記載の紙幣処理機。
【請求項３】
前記異臭剤付与手段は、前記筐体の設置後の移動量を検出する移動量検出手段を有し、該移動量検出手段により前記筐体の設置後の移動量が所定量以上になったことが検出されると異常発生と判定して前記紙幣収納箱内で異臭剤を紙幣に付けることを特徴とする請求項１または２記載の紙幣処理機。
【請求項４】
前記異臭剤付与手段は、前記移動量検出手段の作動および作動停止を切り換える作動切換手段を有することを特徴とする請求項３記載の紙幣処理機。
【請求項５】
停電時に前記異臭剤付与手段に電力を供給するバッテリを内蔵していることを特徴とする請求項１乃至４のいずれか一項記載の紙幣処理機。
【請求項６】
前記異臭剤付与手段は、
前記異臭剤が収納された収納体と、
該収納体と前記紙幣収納箱とを接続させる接続管部材と、
該接続管部材に設けられて前記収納体と前記紙幣収納箱との間を遮断状態および連通状態に切換可能な連通切換手段と、
通常前記連通切換手段によって前記収納体と前記紙幣収納箱との間を遮断状態に維持する一方、前記異常発生と判定されると前記連通切換手段によって前記収納体と前記紙幣収納箱との間を連通状態にする連通制御手段とを有することを特徴とする請求項１乃至５のいずれか一項記載の紙幣処理機。
【請求項７】
前記異臭剤が、液体、気体もしくは気化しやすい液体からなることを特徴とする請求項１乃至６のいずれか一項記載の紙幣処理機。
【請求項８】
前記異臭剤が、酸性またはアルカリ性材料から生成されていることを特徴とする請求項１乃至７のいずれか一項記載の紙幣処理機。
【請求項９】
紙幣が出し入れされる箱体を有する紙幣収納箱において、
異常発生時に前記箱体内で異臭剤を紙幣に付ける異臭剤付与手段を有することを特徴とする紙幣収納箱。
【請求項１０】
前記箱体の一部に開閉可能に設けられ開状態にあるとき紙幣を前記箱体に対し出し入れ可能とする箱体開閉手段と、該箱体開閉手段を閉状態で施錠する施錠手段とを有し、
前記異臭剤付与手段は、前記箱体開閉手段の開閉状態を検出する開閉状態検出手段と、前記施錠手段の施錠状態を検出する施錠状態検出手段とを有するとともに、これら開閉状態検出手段および施錠状態検出手段の検出結果から、前記箱体開閉手段の開放時に前記施錠手段が施錠解除状態になければ異常発生と判定して前記箱体内で異臭剤を紙幣に付けることを特徴とする請求項９記載の紙幣収納箱。
【請求項１１】
停電時に前記異臭剤付与手段に電力を供給するバッテリを内蔵していることを特徴とする請求項９または１０記載の紙幣収納箱。
【請求項１２】
前記異臭剤付与手段は、
前記異臭剤が収納されるとともに前記箱体内に吐出口が配置された収納体と、
該収納体の吐出口を開閉させる開閉切換手段と、
通常前記開閉切換手段によって前記収納体の前記吐出口を閉状態に維持する一方、前記異常発生と判定されると前記開閉切換手段によって前記収納体の前記吐出口を開状態にする開閉制御手段とを有することを特徴とする請求項９乃至１１のいずれか一項記載の紙幣収納箱。
【請求項１３】
前記異臭剤が、液体、気体もしくは気化しやすい液体からなることを特徴とする請求項９乃至１２のいずれか一項記載の紙幣収納箱。
【請求項１４】
前記異臭剤が、酸性またはアルカリ性材料から生成されていることを特徴とする請求項９乃至１３のいずれか一項記載の紙幣収納箱。
【発明の詳細な説明】
【０００１】
【発明の属する技術分野】
本発明は、盗難抑止に効果を発揮する紙幣処理機および紙幣収納箱に関する。
【０００２】
【従来の技術】
現金取扱機と現金管理センタとの間で現金収納箱を現金輸送車で輸送する際に、万一現金収納箱が盗難にあった場合に、これを直ちに報知する現金輸送システムがある（例えば、特許文献１参照）。
【０００３】
【特許文献１】
特開平９−２１８９８８号公報
【０００４】
【発明が解決しようとする課題】
上記公報の技術は現金輸送車または現金取扱機から不正に現金収納箱が抜き取られると、硬貨収納箱自体がブザー音を発生させて周囲に盗難があったことを報知するものであるが、例えば人通りが少ない場所や人通りが少ない時間帯においてはブザー音を発生させても効果が十分でない場合があった。また、現金取扱機ごと持ち去ってからブザー音が発生しても問題ない場所で解体される場合に対しても効果が十分とは言えない。
【０００５】
したがって、本発明は、十分な盗難抑止効果を有する紙幣処理機および紙幣収納箱の提供を目的とする。
【０００６】
【課題を解決するための手段】
上記目的を達成するために、請求項１に係る発明は、筐体と、該筐体に対し出し入れされる紙幣収納箱とを有して紙幣の取り引きを行う紙幣処理機において、異常発生時に前記紙幣収納箱内で異臭剤を紙幣に付ける異臭剤付与手段を有することを特徴としている。
【０００７】
このように異常発生時に異臭剤付与手段が紙幣収納箱内で異臭剤を紙幣に付けることになるため、その後は紙幣に異臭がすることになって、盗難紙幣であることが容易に見分けられることになる。
【０００８】
請求項２に係る発明は、請求項１に係る発明において、前記筐体の一部に開閉可能に設けられ開状態にあるとき前記紙幣収納箱を前記筐体に対し出し入れ可能とする筐体開閉手段と、該筐体開閉手段を閉状態で施錠する施錠手段とを有し、前記異臭剤付与手段は、前記筐体開閉手段の開閉状態を検出する開閉状態検出手段と、前記施錠手段の施錠状態を検出する施錠状態検出手段とを有するとともに、これら開閉状態検出手段および施錠状態検出手段の検出結果から、前記筐体開閉手段の開放時に前記施錠手段が施錠解除状態になければ異常発生と判定して前記紙幣収納箱内で異臭剤を紙幣に付けることを特徴としている。
【０００９】
筐体開閉手段が不正に開放されると、施錠手段が施錠解除状態にはないことから、開閉状態検出手段で筐体開閉手段の開状態が検出されかつ施錠状態検出手段で施錠手段の施錠状態が検出され、これにより、異臭剤付与手段が異常発生と判定して紙幣収納箱内で異臭剤を紙幣に付けることになる。
【００１０】
請求項３に係る発明は、請求項１または２に係る発明において、前記異臭剤付与手段は、前記筐体の設置後の移動量を検出する移動量検出手段を有し、該移動量検出手段により前記筐体の設置後の移動量が所定量以上になったことが検出されると異常発生と判定して前記紙幣収納箱内で異臭剤を紙幣に付けることを特徴としている。
【００１１】
これにより、筐体ごと持ち去られるような事態が生じた場合に、移動量検出手段によって検出される筐体の設置後の移動量が所定量以上になり、異臭剤付与手段が異常発生と判定して紙幣収納箱内で異臭剤を紙幣に付けることになる。
【００１２】
請求項４に係る発明は、請求項３に係る発明において、前記異臭剤付与手段は、前記移動量検出手段の作動および作動停止を切り換える作動切換手段を有することを特徴としている。
【００１３】
これにより、作動切換手段によって移動量検出手段を作動停止させておけば、異臭剤付与手段は筐体の設置後の移動量が所定量以上になっても異常発生と判定しないことになる。よって、筐体の正規の移動時に異臭剤付与手段が異常発生と判定して紙幣収納箱内で異臭剤を紙幣に付けてしまうことを防止できる。
【００１４】
請求項５に係る発明は、請求項１乃至４のいずれか一項に係る発明において、停電時に前記異臭剤付与手段に電力を供給するバッテリを内蔵していることを特徴としている。
【００１５】
これにより、停電時においても、内蔵されたバッテリから異臭剤付与手段に電力を供給することができるため、異常発生時に紙幣収納箱内で異臭剤を紙幣に付けることができる。
【００１６】
請求項６に係る発明は、請求項１乃至５のいずれか一項に係る発明において、前記異臭剤付与手段は、前記異臭剤が収納された収納体と、該収納体と前記紙幣収納箱とを接続させる接続管部材と、該接続管部材に設けられて前記収納体と前記紙幣収納箱との間を遮断状態および連通状態に切換可能な連通切換手段と、通常前記連通切換手段によって前記収納体と前記紙幣収納箱との間を遮断状態に維持する一方、前記異常発生と判定されると前記連通切換手段によって前記収納体と前記紙幣収納箱との間を連通状態にする連通制御手段とを有することを特徴としている。
【００１７】
これにより、通常時は、異臭剤付与手段の連通制御手段が連通切換手段によって収納体と紙幣収納箱との間を遮断状態とするため、収納体の異臭剤が紙幣収納箱内で紙幣に付けられることはない。一方、異常発生時は、異臭剤付与手段の連通制御手段が連通切換手段によって収納体と紙幣収納箱との間を連通状態にするため、収納体の異臭剤が接続管部材を介して紙幣収納箱内で紙幣に付けられることになる。このように、簡素な構成で異常発生時に異臭剤を紙幣収納箱内の紙幣に付着させることができる。
【００１８】
請求項７に係る発明は、請求項１乃至６のいずれか一項に係る発明において、前記異臭剤が、液体、気体もしくは気化しやすい液体からなることを特徴としている。
【００１９】
このように、異臭剤が、液体、気体もしくは気化しやすい液体からなるため、紙幣に即座にかつ確実に異臭剤を付着させることができる。
【００２０】
請求項８に係る発明は、請求項１乃至７のいずれか一項に係る発明において、前記異臭剤が、酸性またはアルカリ性材料から生成されていることを特徴としている。
【００２１】
このように、異臭剤が、酸性またはアルカリ性材料から生成されているため、異臭剤の匂いが弱くなった場合でも、例えばリトマス試験紙を用いた試験やＢＴＢ液を用いた試験等で容易に盗難紙幣であることを見分けることができる。
【００２２】
請求項９に係る発明は、紙幣が出し入れされる箱体を有する紙幣収納箱において、異常発生時に前記箱体内で異臭剤を紙幣に付ける異臭剤付与手段を有することを特徴としている。
【００２３】
このように、異常発生時には異臭剤付与手段が箱体内で異臭剤を紙幣に付けることになるため、その後の紙幣に異臭がすることになり、盗難紙幣であることが容易に見分けられることになる。
【００２４】
請求項１０に係る発明は、請求項９に係る発明において、前記箱体の一部に開閉可能に設けられ開状態にあるとき紙幣を前記箱体に対し出し入れ可能とする箱体開閉手段と、該箱体開閉手段を閉状態で施錠する施錠手段とを有し、前記異臭剤付与手段は、前記箱体開閉手段の開閉状態を検出する開閉状態検出手段と、前記施錠手段の施錠状態を検出する施錠状態検出手段とを有するとともに、これら開閉状態検出手段および施錠状態検出手段の検出結果から、前記箱体開閉手段の開放時に前記施錠手段が施錠解除状態になければ異常発生と判定して前記箱体内で異臭剤を紙幣に付けることを特徴としている。
【００２５】
箱体開閉手段が不正に開放されると、施錠手段が施錠解除状態にはないことから、開閉状態検出手段で箱体開閉手段の開状態が検出されかつ施錠状態検出手段で施錠手段の施錠状態が検出され、これにより、異臭剤付与手段が異常発生と判定して箱体内で異臭剤を紙幣に付けることになる。
【００２６】
請求項１１に係る発明は、請求項９または１０に係る発明において、停電時に前記異臭剤付与手段に電力を供給するバッテリを内蔵していることを特徴としている。
【００２７】
これにより、停電時においても、内蔵されたバッテリから異臭剤付与手段に電力を供給することができるため、異常発生時に箱体内で異臭剤を紙幣に付けることができる。
【００２８】
請求項１２に係る発明は、請求項９乃至１１のいずれか一項に係る発明において、前記異臭剤付与手段は、前記異臭剤が収納されるとともに前記箱体内に吐出口が配置された収納体と、該収納体の吐出口を開閉させる開閉切換手段と、通常前記開閉切換手段によって前記収納体の前記吐出口を閉状態に維持する一方、前記異常発生と判定されると前記開閉切換手段によって前記収納体の前記吐出口を開状態にする開閉制御手段とを有することを特徴としている。
【００２９】
これにより、通常時は、異臭剤付与手段の開閉制御手段が開閉切換手段によって収納体の吐出口を閉状態とするため、収納体の異臭剤が箱体内で紙幣に付けられることはない。一方、異常発生時は、異臭剤付与手段の開閉制御手段が開閉切換手段によって収納体の吐出口を開状態にするため、収納体の異臭剤が箱体内で紙幣に付けられることになる。このように、簡素な構成で異常発生時に異臭剤を箱体内の紙幣に付着させることができる。
【００３０】
請求項１３に係る発明は、請求項９乃至１２のいずれか一項に係る発明において、前記異臭剤が、液体、気体もしくは気化しやすい液体からなることを特徴としている。
【００３１】
このように、異臭剤が、液体、気体もしくは気化しやすい液体からなるため、紙幣に即座にかつ確実に異臭剤を付着させることができる。
【００３２】
請求項１４に係る発明は、請求項９乃至１３のいずれか一項に係る発明において、前記異臭剤が、酸性またはアルカリ性材料から生成されていることを特徴としている。
【００３３】
このように、異臭剤が、酸性またはアルカリ性材料から生成されているため、異臭剤の匂いが弱くなった場合でも、例えばリトマス試験紙を用いた試験や、ＢＴＢ液を用いた試験等で容易に盗難紙幣であることを見分けることができる。
【００３４】
【発明の実施の形態】
本発明の一実施形態を図面を参照して以下に説明する。
紙幣処理機１１は、図示せぬ商用電源に接続され主にこの商用電源からの給電で作動するもので、一括投入されたバラ紙幣を識別計数して入金させて収納する入金取引を行う一方、収納している紙幣を指示された枚数出金させる出金取引を行うものである。
【００３５】
紙幣処理機１１は、図１に示すように、筐体１２と、筐体１２内に装填されて金種別に紙幣を収納する１台以上具体的には３台のスタッカ（紙幣収納箱）１３とを有している。ここで、スタッカ１３は筐体１２内の所定の載置部１４にそれぞれ載置されることになり、この状態で前後方向に配列される。
【００３６】
筐体１２は、その側面側である一部に開閉可能な扉体１６（筐体開閉手段）が設けられており、複数のスタッカ１３は、それぞれ、扉体１６が開状態にあるときに筐体１２内に対し出し入れされることになる。この扉体１６とこの扉体１６を除く筐体１２の筐体本体１７とには、扉体１６が閉状態にあるとき、これらとは別体の施錠キー１８の嵌合回動動作により扉体１６を筐体本体１７に対し固定する施錠状態と固定解除して開作動可能にする施錠解除状態とに切換可能な施錠機構部（施錠手段）１９が設けられている。つまり、扉体１６は閉状態で施錠キー１８および施錠機構部１９によって施錠および施錠解除可能に設けられている。なお、施錠キー１８および施錠機構部１９が、扉体１６を施錠する施錠回動位置にあるときは、施錠キー１８が施錠状態にある施錠機構部１９から引き抜き可能とされており、施錠キー１８および施錠機構部１９が、扉体１６の施錠を解除する施錠解除回動位置にあるときは、施錠キー１８が施錠解除状態にある施錠機構部１９から引き抜き不可とされている。さらに、施錠キー１８および施錠機構部１９が回動途中にあるときも、施錠キー１８が施錠機構部１９から引き抜き不可とされている。
【００３７】
そして、紙幣処理機１１には、盗難発生時等の異常発生時に各スタッカ１３内で異臭剤を撒くことにより紙幣に異臭剤を付ける処理機用の異臭剤付与装置（異臭剤付与手段）２１が設けられている。この異臭剤付与装置２１は、すべてのスタッカ１３よりも後側のスペース２０に配置されるとともに異臭剤が加圧状態で収納された収納体２２と、一側が収納体２２に接合されるとともに他側が複数具体的には三つに分岐して筐体１２内の各スタッカ１３の上部に接合されることによりすべてのスタッカ１３の内部と収納体２２の内部とを連通可能な接続管部材２３と、上記スペース２０に配置されるとともに接続管部材２３における分岐位置よりも収納体２２側に設けられて収納体２２とすべてのスタッカ１３との間を遮断状態および連通状態に切換可能な電磁開閉弁（連通切換手段）２４とを有している。
【００３８】
また、異臭剤付与装置２１は、扉体１６が開状態にあるか閉状態にあるかを検出する扉体開閉状態センサ（開閉状態検出手段）２６と、施錠機構部１９が施錠回動位置にあって扉体１６を施錠する施錠状態にあるか施錠解除回動位置にあって扉体１６の施錠を解除する施錠解除状態にあるかを検出する施錠状態センサ（施錠状態検出手段）２７と、筐体１２の設置後の移動量を検出する移動量検出センサ（移動量検出手段）２８と、これら扉体開閉状態センサ２６、施錠状態センサ２７および移動量検出センサ２８の検出状態に応じて電磁開閉弁２４を切り換える連通制御部（連通制御手段）２９とを有している。
【００３９】
ここで、移動量検出センサ２８は、所定の設置場所に設置された紙幣処理機１１と紙幣処理機１１が載置されるフロア３０との間に架設されるもので、所定の設置場所に紙幣処理機１１があるか、所定の設置場所から紙幣処理機１１が離間した状態にあるかを検出するものである。なお、移動量検出センサ２８は、地震の揺れ程度では所定の設置場所から紙幣処理機１１が離間した状態にあると判定することがないようにその検出レベル等が設定されている。
【００４０】
さらに、異臭剤付与装置２１は、別体の切換キー（作動切換手段）３２の嵌合回動動作によって信号が切り換えられる切換検出部（作動切換手段）３３を有しており、連通制御部２９は、この切換検出部３３からの信号に応じて移動量検出センサ２８の作動および作動停止を切換可能となっている。なお、切換キー３２は、移動量検出センサ２８を作動状態とする作動回動位置および作動停止状態とする作動停止回動位置のいずれにおいても切換検出部３３から引き抜き可能とされており、回動途中では引き抜き不可とされている。
【００４１】
また、筐体１２内には、図示せぬ商用電源からの給電が停止される停電時においても、異臭剤付与装置２１の電磁開閉弁２４、扉体開閉状態センサ２６、施錠状態センサ２７、移動量検出センサ２８、切換検出部３３および連通制御部２９に電力を供給しこれらを通常通り作動可能な状態とするバッテリ３４が上記スペース２０において収納体２２の下側に設けられている。つまり、バッテリ３４は筐体１２に内蔵されている。なお、連通制御部２９は、図示せぬ商用電源からの給電がある状態では常に満充電状態とするように商用電源からバッテリ３４に充電を行う。
【００４２】
図２および図３に示すように、各スタッカ１３は、上下方向に長い箱体３６を有しており、箱体３６には、厚さ方向を上下方向に向けた状態の紙幣Ｓが多数、上下方向に集積された状態で装填されることになる。ここで、箱体３６には集積紙幣Ｓの四方の各端縁部を案内するためのガイド側板３７が設けられている。また、箱体３６の上部には、紙幣Ｓを出し入れするための入出機構３８が設けられ、箱体３６の下部には紙幣Ｓの集積量に応じて昇降するエレベータ機構３９が設けられている。
【００４３】
そして、各箱体３６には、それぞれ、背面側の一部に開閉可能な蓋体（箱体開閉手段）４１が設けられている。この蓋体４１とこの蓋体４１を除く箱体３６の箱体本体４２とには、蓋体４１が閉状態にあるとき、これらとは別体の施錠キー４４の嵌合回動動作により蓋体４１を箱体本体４２に対し固定する施錠状態と固定解除して開作動可能にする施錠解除状態とに切換可能な施錠機構部（施錠手段）４５が設けられている。つまり、蓋体４１は閉状態で施錠キー４４および施錠機構部４５によって施錠および施錠解除可能に設けられている。なお、施錠キー４４および施錠機構部４５が、蓋体４１を施錠する施錠回動位置にあるときは、施錠キー４４が施錠状態にある施錠機構部４５から引き抜き可能とされており、施錠キー４４および施錠機構部４５が、扉体１６の施錠を解除する施錠解除回動位置にあるときは、施錠キー４４が施錠解除状態にある施錠機構部４５から引き抜き不可とされている。さらに、施錠キー４４および施錠機構部４５が回動途中にあるときも、施錠キー４４が施錠機構部４５から引き抜き不可とされている。箱体３６は、蓋体４１が開状態にあるときに紙幣Ｓが出し入れされる。
【００４４】
そして、すべてのスタッカ１３には、それぞれ、盗難発生時等の異常発生時に箱体３６内で異臭剤を撒くことにより異臭剤を紙幣Ｓに付けるスタッカ用の異臭剤付与装置（異臭剤付与手段）４７が設けられている。この異臭剤付与装置４７は、スタッカ１３内に設けられるとともに異臭剤が加圧状態で収納された収納体４８と、箱体３６内に配置された収納体４８の吐出口４９を開閉させる電磁開閉弁（開閉切換手段）５０とを有している。
【００４５】
ここで、収納体４８は、スタッカ１３の紙幣Ｓが集積されるスペースよりも下側つまりエレベータ機構３９よりも下側のスペース５１に配置されるとともに異臭剤が加圧状態で収納される収納体本体５２と、一側が収納体本体５２に接合されるとともに他側が複数具体的には三つに分岐した後、ガイド側板３７の側方で紙幣Ｓの集積方向に沿って延出する吐出管部材５３とを有しており、吐出管部材５３には複数の上記した吐出口４９が紙幣Ｓに向けて形成されている。また、これらの吐出口４９に位置を合わせてガイド側板３７にも通過口５４が形成されている。そして、電磁開閉弁５０は、上記スペース５１に配置されるとともに吐出管部材５３の分岐位置よりも収納体本体５２側に設けられて収納体本体５２とすべての吐出口４９との間を遮断状態および連通状態に切換可能となっている。つまり、電磁開閉弁５０は、収納体４８のすべての吐出口４９を開閉可能となっている。
【００４６】
また、異臭剤付与装置４７は、蓋体４１が開状態にあるか閉状態にあるかを検出する蓋体開閉状態センサ（開閉状態検出手段）５６と、施錠機構部４５が施錠回動位置にあって扉体１６を施錠する施錠状態にあるか施錠解除回動位置にあって扉体１６の施錠を解除する施錠解除状態にあるかを検出する施錠状態センサ（施錠状態検出手段）５７と、これら蓋体開閉状態センサ５６および施錠状態センサ５７の検出状態に応じて電磁開閉弁５０を切り換える開閉制御部（開閉制御手段）５８とを有している。
【００４７】
また、各スタッカ１３において、それぞれの箱体３６内には、図示せぬ商用電源からの給電が停止される停電時においても、異臭剤付与装置４７の電磁開閉弁５０、蓋体開閉状態センサ５６、施錠状態センサ５７および開閉制御部５８に電力を供給しこれらを通常通り作動可能な状態とするバッテリ５９が上記スペース５１に配置されている。つまり、バッテリ５９は箱体３６に内蔵されている。なお、開閉制御部５８は、図示せぬ商用電源からの給電がある状態では常に満充電状態とするように商用電源からバッテリ５９に充電を行う。
【００４８】
次に、紙幣処理機１１の作動について図１を参照しつつ説明する。なお、異臭剤付与装置２１は商用電源から給電可能な状態では商用電源から給電されることになり、商用電源から給電不可な停電状態ではバッテリ３４から自動的に給電される。
【００４９】
異臭剤付与装置２１の連通制御部２９は、扉体開閉状態センサ２６により扉体１６の開状態が検出される扉体１６の開放時には、常に施錠状態センサ２７により施錠機構部１９が施錠解除状態および施錠状態のいずれにあるかを監視しており、施錠機構部１９の施錠解除状態が検出される通常時は異常なしと判定して電磁開閉弁２４により接続管部材２３を閉塞させる状態つまり収納体２２とすべてのスタッカ１３との間を遮断状態に維持する。つまり、スタッカ１３の出し入れ等のため紙幣処理機１１の筐体１２に対し扉体１６が正規に開放された場合には、収納体２２とすべてのスタッカ１３との間を遮断状態に維持し、収納体２２からスタッカ１３内に異臭剤が導入されるのを規制する。
【００５０】
他方、連通制御部２９は、扉体開閉状態センサ２６により扉体１６の開状態が検出されたときに、施錠状態センサ２７により施錠機構部１９の施錠状態が検出された場合には、異常発生と判定して電磁開閉弁２４で接続管部材２３を開放させる状態つまり収納体２２とすべてのスタッカ１３との間を連通状態に切り換える。すると、加圧状態にあった収納体２２の異臭剤が接続管部材２３を介してすべてのスタッカ１３に導入されすべてのスタッカ１３内で撒かれてすべてのスタッカ１３内の全紙幣Ｓに付着する。つまり、例えば設置場所で紙幣処理機１１の扉体１６を無理矢理こじ開けた場合等、紙幣処理機１１の筐体１２に対し扉体１６が不正に開放された場合には、連通制御部２９が収納体２２とすべてのスタッカ１３とを連通状態に切り換え、すべてのスタッカ１３内に異臭剤を導入させてすべてのスタッカ１３内の紙幣Ｓに異臭剤を付着させるのである。
【００５１】
また、連通制御部２９は、切換キー３２の嵌合回動動作により移動量検出センサ２８が作動状態とされた状態において、移動量検出センサ２８により筐体１２の設置後の移動量が所定量以上になったことが検出されると異常発生と判定して電磁開閉弁２４を接続管部材２３を開放させる状態つまり収納体２２とすべてのスタッカ１３との間を連通状態に切り換える。すると、加圧状態にあった収納体２２の異臭剤が接続管部材２３を介してすべてのスタッカ１３に導入されすべてのスタッカ１３内で撒かれてすべてのスタッカ１３内の全紙幣Ｓに付着する。つまり、例えば設置場所から紙幣処理機１１ごと盗もうとした場合等、紙幣処理機１１が設置場所から動かされると、連通制御部２９が収納体２２とすべてのスタッカ１３とを連通状態に切り換え、すべてのスタッカ１３内に異臭剤を導入させてすべてのスタッカ１３内の紙幣Ｓに異臭剤を付着させるのである。
【００５２】
なお、切換キー３２の嵌合回動動作により移動量検出センサ２８が作動停止させられた状態では、筐体１２の設置後の移動量が所定量以上になってもこれが検出されることはなく、よって連通制御部２９は異常発生と判定せず、スタッカ１３内で異臭剤を撒くことはない。つまり、紙幣処理機１１の正規の移動時に異臭剤付与装置２１が異常発生と判定してスタッカ１３内に異臭剤を撒くことがないようになっている。
【００５３】
次に、スタッカ１３の作動について図２および図３を参照しつつ説明する。なお、異臭剤付与装置４７は商用電源から給電可能な状態では商用電源から給電されることになり、商用電源から給電不可な停電状態ではバッテリ５９から自動的に給電される。
【００５４】
異臭剤付与装置４７の開閉制御部５８は、蓋体開閉状態センサ５６により蓋体４１の開状態が検出される蓋体４１の開放時には、常に施錠状態センサ５７により施錠機構部４５が施錠解除状態および施錠状態のいずれにあるかを監視しており、施錠機構部４５が施錠解除状態にある通常時は異常なしと判定して電磁開閉弁５０をすべての吐出口４９を閉塞させる状態つまり収納体本体５２とすべての吐出口４９との間を遮断状態に維持する。つまり、紙幣Ｓの出し入れ等のためにスタッカ１３の蓋体４１が正規に開放された場合には、開閉制御部５８は収納体本体５２と吐出口４９との間を遮断状態に維持し、スタッカ１３内で異臭剤が撒かれるのを規制する。
【００５５】
他方、開閉制御部５８は、蓋体開閉状態センサ５６により蓋体４１の開状態が検出されたときに、施錠状態センサ５７により施錠機構部４５の施錠状態が検出された場合には、異常発生と判定して電磁開閉弁５０をすべての吐出口４９を開放させる状態つまり収納体本体５２とすべての吐出口４９とを連通状態に切り換える。すると、加圧状態にあった収納体本体５２の異臭剤が吐出管部材５３を介してすべての吐出口４９から通過口５４を介して箱体３６内で撒かれて箱体３６内の全紙幣Ｓに付着する。つまり、例えば運搬途中等においてスタッカ１３が盗み出され、その後、スタッカ１３の蓋体４１を無理矢理こじ開けた場合等、スタッカ１３の箱体３６に対し蓋体４１が不正に開放された場合には、開閉制御部５８が収納体本体５２とすべての吐出口４９とを連通状態に切り換え、スタッカ１３内で異臭剤を撒くことでスタッカ１３内のすべての紙幣Ｓに異臭剤を付着させるのである。
【００５６】
ここで、収納体２２，４８に導入される異臭剤は、液体、気体もしくは気化しやすい液体からなっており、さらには、酸性またはアルカリ性材料から生成されている。なお、異臭剤の匂いは紙幣Ｓと明らかに異なる匂いであれば悪臭でも芳香でも良いが、可能な限り嫌悪感を生じるものとするのが好ましい。さらに言えば、持ち歩くだけでも異臭発生源になる程度の匂いとするのが良い。勿論、異臭剤は洗浄等を行っても消失しない強力な匂いを発生させるものとする。
【００５７】
以上に述べた紙幣処理機１１は、以下の効果を奏することができる。
【００５８】
異常発生時に異臭剤付与装置２１がすべてのスタッカ１３内で異臭剤を撒くことになり、その結果、すべてのスタッカ１３内の紙幣Ｓに異臭剤が付着することになる。よって、その紙幣Ｓを使用しようとした場合に異臭がすることになり、盗難紙幣であることが容易に見分けられることになる。したがって、このような紙幣は盗んでも使用できないことから、盗難自体が意味のないものとなり抑止される。
【００５９】
具体的には、扉体１６が不正に開放されると、施錠機構部１９は施錠解除状態にはないことから、扉体開閉状態センサ２６で扉体１６の開状態が検出されかつ施錠状態センサ２７で施錠機構部１９の施錠状態が検出され、これにより、異臭剤付与装置２１が異常発生と判定してすべてのスタッカ１３内で異臭剤を撒くことになり、その結果、スタッカ１３内の紙幣Ｓに異臭剤が付着することになる。
よって、その紙幣Ｓを使用しようとした場合に異臭がすることになり、盗難紙幣であることが容易に見分けられることになる。したがって、このような紙幣は盗んでも使用できないことから、扉体１６を不正に開放して行う盗難自体が意味のないものとなり抑止される。
【００６０】
さらに、紙幣処理機１１が筐体１２ごと持ち去られるような事態が生じた場合に、移動量検出センサ２８によって検出される筐体１２の設置後の移動量が所定量以上になり、異臭剤付与装置２１が異常発生と判定してすべてのスタッカ１３内で異臭剤を撒くことになって、その結果、上記と同様に、スタッカ１３内の紙幣Ｓに異臭剤が付着することになる。したがって、このような紙幣も盗んでも使用できないことから、筐体１２ごと持ち去るような盗難自体が意味のないものとなり抑止される。
【００６１】
また、切換キー３２の嵌合回動動作によって移動量検出センサ２８を作動停止させておけば、異臭剤付与装置２１は筐体１２の設置後の移動量が所定量以上になっても異常発生と判定しないことになる。よって、筐体１２の正規の移動時に異臭剤付与装置２１が異常発生と判定してスタッカ１３内に異臭剤を撒いてしまうことを防止できる。
【００６２】
加えて、停電時においても、紙幣処理機１１に内蔵されたバッテリ３４から異臭剤付与装置２１に電力を供給することができるため、異常発生時にすべてのスタッカ１３内で異臭剤を撒くことになり、その結果、上記と同様に、スタッカ１３内の紙幣Ｓに異臭剤が付着することになる。したがって、停電状態にしても意味がないため盗難の抑止効果がさらに優れることになる。
【００６３】
さらに、通常時は、異臭剤付与装置２１の連通制御部２９が電磁開閉弁２４によって収納体２２とすべてのスタッカ１３との間を遮断状態とするため、収納体２２の異臭剤がいずれのスタッカ１３内でも撒かれることはない。一方、異常発生時は、異臭剤付与装置２１の連通制御部２９が電磁開閉弁２４によって収納体２２とすべてのスタッカ１３との間を連通状態にするため、収納体２２の異臭剤が接続管部材２３を介してすべてのスタッカ１３内に撒かれることになる。このように、簡素な構成で異常発生時に異臭剤をスタッカ１３内の紙幣Ｓに付着させることができる。
【００６４】
スタッカ１３は、以下の効果を奏することができる。
【００６５】
異常発生時には異臭剤付与装置４７が箱体３６内で異臭剤を撒くことになり、その結果、箱体３６内の紙幣Ｓに異臭剤を付着させることになる。よって、その紙幣を使用しようとした場合に異臭がすることになり、盗難紙幣であることが容易に見分けられることになる。したがって、このような紙幣は盗んでも使用できないことから、盗難自体が意味のないものとなり抑止される。
【００６６】
具体的には、蓋体４１が不正に開放されると、施錠機構部４５は施錠解除状態にはないことから、蓋体開閉状態センサ５６で蓋体４１の開状態が検出されかつ施錠状態センサ５７で施錠機構部４５の施錠状態が検出され、これにより、異臭剤付与装置４７が異常発生と判定して箱体３６内で異臭剤を撒くことになり、その結果、箱体３６内の紙幣Ｓに異臭剤を付着させることになる。よって、その紙幣を使用しようとした場合に異臭がすることになり、盗難紙幣であることが容易に見分けられることになる。したがって、このような紙幣は盗んでも使用できないことから、スタッカ１３を盗み蓋体４１を不正に開放して行う盗難自体が意味のないものとなり抑止される。
【００６７】
加えて、停電時においても、スタッカ１３に内蔵されたバッテリ５９から異臭剤付与装置４７に電力を供給することができるため、異常発生時に箱体３６内で異臭剤を撒くことになり、その結果、上記と同様に、箱体３６内の紙幣Ｓに異臭剤が付着することになる。したがって、停電状態にしても意味がないため盗難の抑止効果がさらに優れることになる。
【００６８】
さらに、通常時は、異臭剤付与装置４７の開閉制御部５８が電磁開閉弁５０によって収納体４８の吐出口４９を閉状態とするため、収納体４８の異臭剤が箱体３６内で撒かれることはない。一方、異常発生時は、異臭剤付与装置４７の開閉制御部５８が電磁開閉弁５０によって収納体４８の吐出口４９を開状態にするため、収納体４８の異臭剤が箱体３６内に撒かれることになる。このように、簡素な構成で異常発生時に異臭剤を箱体３６内の紙幣Ｓに付着させることができる。
【００６９】
紙幣処理機１１およびスタッカ１３は、以下の効果を奏することができる。
【００７０】
異臭剤が、液体、気体もしくは気化しやすい液体からなるため、紙幣Ｓに即座にかつ確実に異臭剤を付着させることができる。特に、異臭剤が液体または気化しやすい液体からなる場合は付着しさらに染み込むため、より異臭剤の匂いが長持ちすることになる。安全性重視の場合は異臭剤を液体とするのが良い。また、紙幣Ｓに付着後は固体化しても良い。さらに、スタッカ１３の収納体４８に液体の異臭剤を充填する場合には、スタッカ１３の内部にスポンジを配置し、異常発生時に収納体４８からスポンジに異臭剤を浸透させスポンジを介して紙幣Ｓに端面から異臭剤を浸透させるようにすれば、スタッカ１３が傾けられても異臭剤を紙幣Ｓに確実に浸透させることができる。
【００７１】
さらに、日本の紙幣は和紙からなり中性を示すことから、異臭剤を、酸性またはアルカリ性材料から生成することで、異臭剤の匂いが弱くなった場合でも、例えばリトマス試験紙を用いた試験や、ＢＴＢ液を用いた試験等で容易に盗難紙幣であることを見分けることができる。したがって、長時間放置して匂いを弱くしてから使用しても意味がなくなるため盗難の抑止効果がさらに優れることになる。
【００７２】
なお、異臭剤付与装置２１としては、施錠機構部１９が施錠解除状態にない状態で扉体１６が開放されたときに機械的に収納体２２からスタッカ１３内に異臭剤を導入させるようにしても良い。例えば、施錠機構部１９が扉体１６を施錠する施錠状態にあるとき扉体１６に連結状態となり施錠機構部１９が扉体１６の施錠を解除する施錠解除状態にあるとき扉体１６との連結が解除される部材を設け、施錠機構部１９が施錠状態にあるとき扉体１６が開かれると前記部材が扉体１６で引かれて接続管部材２３を閉塞させていた遮板を作動させ、異臭剤をスタッカ１３に導入させる等である。
【００７３】
また、筐体１２の設置後の移動量が所定量以上となった場合に機械的に収納体２２からスタッカ１３内に異臭剤を導入させるようにしても良い。例えば、筐体１２の設置場所の壁や床にワイヤを打ち込んでおき、筐体１２が所定量以上移動するとこのワイヤが張って接続管部材２３を閉塞させていた遮板を引き、異臭剤をスタッカ１３に導入させる等である。
【００７４】
加えて、移動量検出センサ２８としてＧＰＳを利用して紙幣処理機１１の位置を検出し紙幣処理機１１が所定量以上移動したか否かを判断するものを用いても良い。
【００７５】
また、紙幣処理機１１に所定量以上の衝撃が加わったか否かを検出する衝撃センサを設け、この衝撃センサで所定量以上の衝撃が加わったことが検出された場合に、異臭剤付与装置２１で異臭剤をスタッカ１３に導入させるようにしても良い。
【００７６】
さらに、紙幣処理機１１に所定量以上の振動が加わったか否かを検出する振動センサを設け、この振動センサで所定量以上の振動が加わったことが検出された場合に、異臭剤付与装置２１で異臭剤をスタッカ１３に導入させるようにしても良い。
【００７７】
また、紙幣処理機１１が所定量以上に傾斜させられたか否かを検出する傾斜センサを設け、この傾斜センサで所定量以上に傾斜させられたことが検出された場合に、異臭剤付与装置２１で異臭剤をスタッカ１３に導入させるようにしても良い。
【００７８】
さらに、スタッカ１３内に設けられる収納体４８として薬剤等で破裂して異臭剤を撒き散らすものを採用することもできる。
【００７９】
加えて、異臭剤付与装置２１の収納体２２、接続管部材２３および電磁開閉弁２４を廃止し、上記連通制御部２９によって異臭剤付与装置４７の電磁開閉弁５０を制御するようにしても良い。つまり、連通制御部２９は上記した異常発生時に、通常は閉状態とされている異臭剤付与装置４７の電磁開閉弁５０を開状態に切り換えるようにしても良い。
【００８０】
【発明の効果】
以上詳述したように、請求項１に係る発明によれば、異常発生時に異臭剤付与手段が紙幣収納箱内で異臭剤を紙幣に付けることになるため、その後は紙幣に異臭がすることになって、盗難紙幣であることが容易に見分けられることになる。
したがって、このような紙幣は盗んでも使用できないことから、盗難自体が意味のないものとなり抑止される。
【０００８１】
請求項２に係る発明によれば、筐体開閉手段が不正に開放されると、施錠手段が施錠解除状態にはないことから、開閉状態検出手段で筐体開閉手段の開状態が検出されかつ施錠状態検出手段で施錠手段の施錠状態が検出され、これにより、異臭剤付与手段が異常発生と判定して紙幣収納箱内で異臭剤を紙幣に付けることになる。したがって、このような紙幣は盗んでも使用できないことから、筐体開閉手段を不正に開放して行う盗難自体が意味のないものとなり抑止される。
【００８２】
請求項３に係る発明によれば、筐体ごと持ち去られるような事態が生じた場合に、移動量検出手段によって検出される筐体の設置後の移動量が所定量以上になり、異臭剤付与手段が異常発生と判定して紙幣収納箱内で異臭剤を紙幣に付けることになる。したがって、このような紙幣は盗んでも使用できないことから、筐体ごと持ち去るような盗難自体が意味のないものとなり抑止される。
【００８３】
請求項４に係る発明によれば、作動切換手段によって移動量検出手段を作動停止させておけば、異臭剤付与手段は筐体の設置後の移動量が所定量以上になっても異常発生と判定しないことになる。よって、筐体の正規の移動時に異臭剤付与手段が異常発生と判定して紙幣収納箱内で異臭剤を紙幣に付けてしまうことを防止できる。
【００８４】
請求項５に係る発明によれば、停電時においても、内蔵されたバッテリから異臭剤付与手段に電力を供給することができるため、異常発生時に紙幣収納箱内で異臭剤を紙幣に付けることができる。したがって、停電状態にしても意味がないため盗難の抑止効果がさらに優れることになる。
【００８５】
請求項６に係る発明によれば、通常時は、異臭剤付与手段の連通制御手段が連通切換手段によって収納体と紙幣収納箱との間を遮断状態とするため、収納体の異臭剤が紙幣収納箱内で紙幣に付けられることはない。一方、異常発生時は、異臭剤付与手段の連通制御手段が連通切換手段によって収納体と紙幣収納箱との間を連通状態にするため、収納体の異臭剤が接続管部材を介して紙幣収納箱内で紙幣に付けられることになる。このように、簡素な構成で異常発生時に異臭剤を紙幣収納箱内の紙幣に付着させることができる。
【００８６】
請求項７に係る発明によれば、異臭剤が、液体、気体もしくは気化しやすい液体からなるため、紙幣に即座にかつ確実に異臭剤を付着させることができる。
【００８７】
請求項８に係る発明によれば、異臭剤が、酸性またはアルカリ性材料から生成されているため、異臭剤の匂いが弱くなった場合でも、例えばリトマス試験紙を用いた試験やＢＴＢ液を用いた試験等で容易に盗難紙幣であることを見分けることができる。したがって、長時間放置して匂いを弱くしてから使用しても意味がなくなるため盗難の抑止効果がさらに優れることになる。
【００８８】
請求項９に係る発明によれば、異常発生時には異臭剤付与手段が箱体内で異臭剤を紙幣に付けることになるため、その後の紙幣に異臭がすることになり、盗難紙幣であることが容易に見分けられることになる。したがって、このような紙幣は盗んでも使用できないことから、盗難自体が意味のないものとなり抑止される。
【００８９】
請求項１０に係る発明によれば、箱体開閉手段が不正に開放されると、施錠手段が施錠解除状態にはないことから、開閉状態検出手段で箱体開閉手段の開状態が検出されかつ施錠状態検出手段で施錠手段の施錠状態が検出され、これにより、異臭剤付与手段が異常発生と判定して箱体内で異臭剤を紙幣に付けることになる。したがって、このような紙幣は盗んでも使用できないことから、箱体開閉手段を不正に開放して行う盗難自体が意味のないものとなり抑止される。
【００９０】
請求項１１に係る発明によれば、停電時においても、内蔵されたバッテリから異臭剤付与手段に電力を供給することができるため、異常発生時に箱体内で異臭剤を紙幣に付けることができる。したがって、停電状態にしても意味がないため盗難の抑止効果がさらに優れることになる。
【００９１】
請求項１２に係る発明によれば、通常時は、異臭剤付与手段の開閉制御手段が開閉切換手段によって収納体の吐出口を閉状態とするため、収納体の異臭剤が箱体内で紙幣に付けられることはない。一方、異常発生時は、異臭剤付与手段の開閉制御手段が開閉切換手段によって収納体の吐出口を開状態にするため、収納体の異臭剤が箱体内で紙幣に付けられることになる。このように、簡素な構成で異常発生時に異臭剤を箱体内の紙幣に付着させることができる。
【００９２】
請求項１３に係る発明によれば、異臭剤が、液体、気体もしくは気化しやすい液体からなるため、紙幣に即座にかつ確実に異臭剤を付着させることができる。
【００９３】
請求項１４に係る発明によれば、異臭剤が、酸性またはアルカリ性材料から生成されているため、異臭剤の匂いが弱くなった場合でも、例えばリトマス試験紙を用いた試験や、ＢＴＢ液を用いた試験等で容易に盗難紙幣であることを見分けることができる。したがって、長時間放置して匂いを弱くしてから使用しても意味がなくなるため盗難の抑止効果がさらに優れることになる。
【図面の簡単な説明】
【図１】本発明の一実施形態の紙幣処理機を示す側断面図である。
【図２】本発明の一実施形態のスタッカ（紙幣収納箱）を示す側断面図である。
【図３】本発明の一実施形態のスタッカ（紙幣収納箱）を示す平断面図である。
【符号の説明】
１１  紙幣処理機
１２  筐体
１３  スタッカ（紙幣収納箱）
１６  扉体（筐体開閉手段）
１９  施錠機構部（施錠手段）
２１  異臭剤付与装置（異臭剤付与手段）
２２  収納体
２３  接続管部材
２４  電磁開閉弁（連通切換手段）
２６  扉体開閉状態センサ（開閉状態検出手段）
２７  施錠状態センサ（施錠状態検出手段）
２８  移動量検出センサ（移動量検出手段）
２９  連通制御部（連通制御手段）
３３  切換検出部（作動切換手段）
３４  バッテリ
３６  箱体
４１  蓋体（箱体開閉手段）
４４  施錠キー（施錠手段）
４５  施錠機構部（施錠手段）
４７  異臭剤付与装置（異臭剤付与手段）
４８  収納体
４９  吐出口
５０  電磁開閉弁（開閉切換手段）
５６  蓋体開閉状態センサ（開閉状態検出手段）
５７  施錠状態センサ（施錠状態検出手段）
５８  開閉制御部（開閉制御手段）
５９  バッテリ
Ｓ  紙幣
【図１】
2004353259.tif 000003
【図２】
2004353259.tif 000004
【図３】
2004353259.tif 000005